(57)【要約】【課題】  灰皿等を置かなくても、周囲を汚すことなく吸殻等を捨てることが出来るようにして、机の天板上のスペースを有効に活用することの出来る机及びこの机に適用される係止構造を提供することを目的とする。【解決手段】  この考案に係わる机１０は、天板１２と、この天板１２を床の上に支持するための少なくとも３本の脚部１４とを備えた机１０において、天板１２に厚さ方向に沿って貫通した状態で形成され、飲料容器Ｂの首部Ｎであって、飲料容器Ｂの内部を封止するための蓋部材の内周面に形成された雌ねじ部が螺合する雄ねじ部Ｓが外周面に形成された首部が挿通される穴１６と、この穴１６に天板１２の下方から挿通された首部Ｎを、天板１２から落脱しないように係止するための係止構造１８とを具備することを特徴としている。【選択図】図１
0003212332.tif 000002
【実用新案登録請求の範囲】
【請求項１】
天板と、この天板を床の上に支持するための少なくとも３本の脚部とを備えた机において、
前記天板に厚さ方向に沿って貫通した状態で形成され、飲料容器の首部であって、該飲料容器の内部を封止するための蓋部材の内周面に形成された雌ねじ部が螺合する雄ねじ部が外周面に形成された首部が挿通される穴と、
この穴に前記天板の下方から挿通された前記首部を、前記天板から落脱しないように係止するための係止構造と、
を具備することを特徴とする机。
【請求項２】
前記係止構造は、前記穴の内周面に形成され、前記飲料容器の首部の外周面に形成された蓋部材取り付け用の雄ねじ部に螺合する雌ねじ部から構成されている事を特徴とする請求項１に記載の机。
【請求項３】
前記係止構造は、
前記穴に挿通可能な円筒状の本体と、この本体の外周面の上部に一体的に形成されたフランジ部であって、前記天板の上面に系合して該天板から下方への落下が防止されるフランジ部と、前記本体の内周面に形成され、前記飲料容器の首部の外周面に形成された蓋部材取り付け用の雄ねじ部に螺合する雌ねじ部とを備えたアタッチメントから構成されている事を特徴とする請求項１に記載の机構造。
【請求項４】
天板と、
この天板を床の上に支持するための少なくとも３本の脚部と、
前記天板に厚さ方向に沿って貫通した状態で形成され、飲料容器の首部であって、該飲料容器の内部を封止するための蓋部材の内周面に形成された雌ねじ部が螺合する雄ねじ部が、外周面に形成された首部が挿通される穴とを備えた机に適用される係止構造であって、
前記穴に前記天板の下方から挿通された前記飲料容器の首部の雄ねじ部に螺合して、前記飲料容器が前記天板から落脱しないよう係止するように構成されている事を特徴とする机に適用される係止構造。
【請求項５】
前記穴に前記天板の上方から挿通される円筒状の本体と、
この本体の外周面に一体的に形成されたフランジ部であって、前記天板の上面に係合して、該本体の該天板から下方への落下を防止するフランジ部と、
前記本体の内周面に形成され、前記飲料容器の首部の外周面に形成された蓋部材取り付け用の雄ねじ部に螺合する雌ねじ部と、
を備えたアタッチメントから構成されている事を特徴とする請求項４に記載の机に適用される係止構造。
【考案の詳細な説明】
【技術分野】
【０００１】  この考案は、食卓、事務机、勉強机等の机、及び、この机に適用される係止構造に関するものである。
【背景技術】
【０００２】  従来において、食卓、事務机、勉強机等を利用する際に、例えばタバコの吸殻等は、机の天板上に置かれた灰皿に捨てられるようにされている。時に応じて、飲み終わったペットボトル等の空の飲料容器を天板上に置いておき、この中に吸殻等を捨てこむことも、行われていた。
【考案の概要】
【考案が解決しようとする課題】
【０００３】  しかしながら、灰皿を用いる場合においても、また、空のペットボトルを再利用する場合においても、机の天板上に、灰皿、空のペットボトル等を置いておかざるを得ず、天板を例えば作業スペースとして用いる場合において、これら灰皿や空のペットボトルの存在が明らかに邪魔になっていて、改善が要望されていた。【０００４】  この考案は、上記事情に鑑みなされたもので、灰皿等を置かなくても、周囲を汚すことなく吸殻等を捨てることが出来るようにして、机の天板上のスペースを有効に活用することの出来る机を提供する事を目的とする。【０００５】  また、この考案は、灰皿等を置かなくても、周囲を汚すことなく吸殻等を捨てることが出来るようにする机に適用される係止構造を提供することを他の目的とする。
【課題を解決するための手段】
【０００６】  上記目的を達成するため、この考案に係わる机は、請求項１の記載によれば、天板と、この天板を床の上に支持するための少なくとも３本の脚部とを備えた机において、前記天板に厚さ方向に沿って貫通した状態で形成され、飲料容器の首部であって、該飲料容器の内部を封止するための蓋部材の内周面に形成された雌ねじ部が螺合する雄ねじ部が外周面に形成された首部が挿通される穴と、この穴に前記天板の下方から挿通された前記首部を、前記天板から落脱しないように係止するための係止構造とを具備することを特徴としている。【０００７】  また、この考案に係わる机は、請求項２の記載によれば、前記係止構造は、前記穴の内周面に形成され、前記飲料容器の首部の外周面に形成された蓋部材取り付け用の雄ねじ部に螺合する雌ねじ部から構成されている事を特徴としている。【０００８】  また、この考案に係わる机は、請求項３の記載によれば、前記係止構造は、前記穴に挿通可能な円筒状の本体と、この本体の外周面の上部に一体的に形成されたフランジ部であって、前記天板の上面に系合して該天板から下方への落下が防止されるフランジ部と、前記本体の内周面に形成され、前記飲料容器の首部の外周面に形成された蓋部材取り付け用の雄ねじ部に螺合する雌ねじ部とを備えたアタッチメントから構成されている事を特徴としている。【０００９】  また、この考案に係わる机に適用される係止構造は、請求項４の記載によれば、天板と、この天板を床の上に支持するための少なくとも３本の脚部と、前記天板に厚さ方向に沿って貫通した状態で形成され、飲料容器の首部であって、該飲料容器の内部を封止するための蓋部材の内周面に形成された雌ねじ部が螺合する雄ねじ部が、外周面に形成された首部が挿通される穴とを備えた机に適用される係止構造であって、前記穴に前記天板の下方から挿通された前記飲料容器の首部の雄ねじ部に螺合して、前記飲料容器が前記天板から落脱しないよう係止するように構成されている事を特徴としている。【００１０】  また、この考案に係わる机に適用される係止構造は、請求項５の記載によれば、前記穴に前記天板の上方から挿通される円筒状の本体と、この本体の外周面に一体的に形成されたフランジ部であって、前記天板の上面に係合して、該本体の該天板から下方への落下を防止するフランジ部と、前記本体の内周面に形成され、前記飲料容器の首部の外周面に形成された蓋部材取り付け用の雄ねじ部に螺合する雌ねじ部とを備えたアタッチメントから構成されている事を特徴としている。
【考案の効果】
【００１１】  上述したように、請求項１の机によれば、飲料容器の首部が机の下方から挿通される穴が天板に形成されていて、この穴に天板の下方から挿通された首部を、天板から落脱しないように係止するための係止構造を備えているので、机を用いている人間がタバコを吸う状況において、タバコの吸殻等を、係止構造により机の天板に脱落しないように係止された飲料容器の首部の開口を介して、飲料容器内に捨てることが可能となりものであり、しかも、灰皿に代わる飲料容器は、机の天板上に載置されずに、天板の下方に垂下する状態で取り付けられるので、机の天板の上面に置ける作業スペースを損なうこと無く、最大限に有効に活用することが出来る特有の効果を奏することが出来ることになる。【００１２】  また、請求項２に記載の机によれば、係止構造を、穴の内周面に形成され、飲料容器の首部の外周面に形成された蓋部材取り付け用の雄ねじ部に螺合する雌ねじ部から構成されるようにしているので、この係止構造を備えた机を安価に提供することが可能となるものである。【００１３】  また、請求項３に記載の机によれば、係止構造を、穴に挿通可能な円筒状の本体と、この本体の外周面の上部に一体的に形成されたフランジ部であって、天板の上面に系合して天板から下方への落下が防止されるフランジ部と、本体の内周面に形成され、飲料容器の首部の外周面に形成された蓋部材取り付け用の雄ねじ部に螺合する雌ねじ部とを備えたアタッチメントから構成しているので、机の天板に形成された穴の内周面を加工すること無く、この穴に上方から挿通されるアタッチメントを別途準備することにより、より安価に机を提供することが可能となるものである。【００１４】  また、請求項４に記載の机に適用される係止構造は、机の天板に形成された穴に、天板の下方から挿通された飲料容器の首部の雄ねじ部に螺合して、飲料容器が天板から落脱しないよう係止するように構成されているので、机の天板の上面に置ける作業スペースを損なうこと無く、最大限に有効に活用することが出来る特有の効果を奏することが出来ることになる。【００１５】  また、このように請求項５の机に適用される係止構造は、机の天板に形成された穴に、天板の上方から挿通される円筒状の本体と、この本体の外周面に一体的に形成されたフランジ部であって、天板の上面に係合して、本体の該天板から下方への落下を防止するフランジ部と、本体の内周面に形成され、飲料容器の首部の外周面に形成された蓋部材取り付け用の雄ねじ部に螺合する雌ねじ部とを備えたアタッチメントから構成されているので、これを机に形成された穴に装着するだけで、極めて安価に、机の天板の上面に置ける作業スペースを損なうこと無く、最大限に有効に活用することが出来る特有の効果を奏することが出来ることになる。
【図面の簡単な説明】
【００１６】
【図１】  この考案に係わる机の好ましい実施形態を示す斜視図である。
【図２】  図１に示す机に飲料容器を装着する直前の状態を説明するための縦断面図である。
【図３】  図２に示す状態から、飲料容器を机に係止した状態で示す縦断面図である。
【図４】  この考案に係わる机に適用される係止構造の好ましい実施形態を示す斜視図である。
【図５】  図４に示す係止構造を介して、飲料容器を机に係止した状態を示す縦断面図である。
【考案を実施するための形態】
【００１７】  以下、この考案に係わる机の好ましい実施形態を図１乃至図３を参照して詳細に説明する。
【００１８】  図１乃至図３において、符号１０はこの実施形態が適用される机を示している。この机１０は、上面を作業スペース等の機能面として用いられる天板１２を備え、この天板１２は図示しない床の上に、この実施例においては４本の脚部１４を介して支持されている。尚、机１０は、勉強机、事務机、食卓、製図台等、天板１２の上面が機能面として利用されるものであれば何でもよく、仮に天板１２の上面が機能面として用いられないような単なるディスプレイ的な置き机であってもこの考案の対象となることは言うまでもない。また、この実施例においては、脚部１４は４本備えるように説明したが、安定的に床上に置かれるためには、最低限３本の脚部で済むことは言うまでもない。
【００１９】  この机１０の天板１２には、図１に示すように、穴１６が天板１２の厚さ方向に沿って貫通した状態で形成されている。この穴１６は、飲料容器Ｂの首部Ｎであって、この飲料容器Ｂの内部を封止するための蓋部材（図示せず）の内周面に形成された雌ねじ部（図示せず）が螺合する雄ねじ部Ｓが、外周面に形成された首部Ｎが挿通されるものである。この首部Ｎは、机１０の天板１２の下方から、穴１６に挿通されるように設定されている。
【００２０】  ここで、この穴１６には、１２天板の下方から挿通された首部Ｎを、天板１２から落脱しないように係止するための係止構造１８が設けられている。この実施例においては、係止構造１８は、首部Ｎの外周面に形成された雄ねじ部Ｓに螺合する雌ねじ部２０を備えて構成されている。
【００２１】  以上のように、この実施例における机１０は構成されているので、使用に際しては、図１及び図２に示す状態から、飲料容器としての空のペットボトルＢからキャップを取り外した状態で、机１０の天板１２の下方から、穴１６にペットボトルＢの首部Ｎを入れ込み、ペットボトルＢを回転させることにより、首部Ｎの外周面に形成された雄ねじ部Ｓを、穴１６の内周面に形成された雌ねじ部２０に螺合させる。これにより、ペットボトルＢの首部Ｎは穴１６内を上方に向けて螺進し、図３に示すように、ペットボトルＢの首部Ｎが穴１６内に完全に挿通されることにより、ペットボトルＢの机１０への取り付け動作が完了する。
【００２２】  このように、ペットボトルＢの机１０への取り付け動作が完了した状態で、図３に示すように、ペットボトルＢの首部Ｎの先端面（上端面）が机１０の天板１２の上面よりも僅かに上方に突出した状態となっても良いし、また、首部Ｎの先端面（上端面）と机の天板１２の上面とが面一な状態となっても良いし、更には、ペットボトルＢの首部Ｎの先端面（上端面）が机１０の天板１２の上面よりも僅かに下方に引き込まれた状態となっても良いものであり、その態様は何等限定されない。要は、ペットボトルＢの机１０への取り付け動作が完了した状態で、雄ねじ部Ｓと係止構造１８を構成する雌ねじ部２０とが螺合することにより、ペットボトルＢが机１０から脱落することが係止され、机１０に安定的に取り付け保持される状態が達成されていれば良いものである。
【００２３】  このように、ペットボトルＢが机１０に脱落することが防止され、安定的に取り付けられる状態で、机１０の上面には、ペットボトルＢは存在せず、机１０を使用する状況において、この使用を邪魔するものが何等存在しないことになる。そして、机１０の使用者が、例えば喫煙する場合において、喫煙後に出た吸殻は、机１０に取り付けられたペットボトルＢの首部Ｎであって、机１０の天板１２に開口された穴１６に取り付けられた首部Ｎの上端開口からペットボトルＢ内に入れ込むことにより、この空のペットボトルＢが吸殻入れとしての灰皿として機能することとなる。そして、ここで重要な点であるが、この灰皿は、机１０の天板１２上に存在しないものであるため、机１０の天板１２を機能面として作業する際においても、この作業の邪魔になることが無く、作業の効率性が極めて向上することになる。
【００２４】  また、このように机１０の下方に取り付けられたペットボトルＢが吸殻で一杯になった際には、ペットボトルＢを取り付け時とは反対方向に回転させることにより、机１０から簡単に取り外すことが可能となり、取替え作業も簡単に行えるものである。このように、飲み終わったペットボトルＢの有効なリサイクルが達成されるものであり、環境にも極めて易しい状況が達成されることになる。
【００２５】  一方、吸殻に火種が残っている場合に備えて、机１０に取り付けた空のペットボトルＢに僅かな水を注入しておけば、ペットボトルＢに捨てられた吸殻に、かりに火種が残っていたとしても、ペットボトルＢの底に溜まっている水により消火され、吸殻から副流煙が出て、机１０の周囲で作業している人間への健康上の問題を可及的に抑止できることになる。
【００２６】  この考案は、上述した実施例の構成に限定されること無く、この考案の用紙を逸脱しない範囲で種々変形可能であることは言うまでもない。
【００２７】  例えば、上述した実施例においては、飲料容器としてペットボトルを用いるように説明したが、この考案はこれに限定されること無く、他の材料のボトルを用いることが可能であることは言うまでもない。また、
【００２８】  また、上述した実施例において、係止構造１８として、穴１６の内周面に形成された雌ねじ部２０から構成されるように説明したが、この考案は、このような構成に限定されること無く、図５及び図６に他の実施例として示すように構成しても良いものである。以下に、図５及び図６を参照して、係止構造の他の実施例について詳細に説明する。
【００２９】  この考案に係わる他の実施例としての係止構造２２は、上述した実施例において机１０の天板１２に形成された穴１６の内周面に螺刻された雌ねじ部２０から構成されていることと異なり、机１０の天板１２に形成された穴１６に取り付けられるアタッチメント２４から構成されている。即ち、この係止構造２２は、穴１６に天板１２の下方から挿通されたペットボトルＢの首部Ｎの雄ねじ部Ｓに螺合して、ペットボトルＢが天板１２から落脱しないよう係止するアタッチメント２４を備えて構成されている
【００３０】  具体的には、このアタッチメント２４は、穴１６に天板１２の上方から挿通される円筒状の本体２６と、この円筒状の本体２６の外周面に一体的に形成されたフランジ部２８であって、天板１２の上面に係合して、本体２６の天板１２から下方への落下を防止するフランジ部２８と、本体２６の内周面に形成され、ペットボトルＢの首部Ｎの外周面に形成された蓋部材取り付け用の雄ねじ部に螺合する雌ねじ部３０とを備えて構成されている。
【００３１】  このようにアタッチメント２４は構成されているので、その使用に際しては、図４に示すように、アタッチメント２４を机１０の上方から、天板１２に形成された穴１６に挿入する。この状態から、図示はしていないが、図２と同様にして、机１０の天板１２の下方から、穴１６にペットボトルＢの首部Ｎを入れ込み、ペットボトルＢを回転させることにより、首部Ｎの外周面に形成された雄ねじ部Ｓを、穴１６に挿入されているアタッチメント２４の内周面に形成された雌ねじ部３０に螺合させる。これにより、ペットボトルＢの首部Ｎは穴１６内を上方に向けて螺進し、図５に示すように、ペットボトルＢの首部Ｎが穴１６内のアタッチメント２４に完全に挿通されることにより、ペットボトルＢの机１０への取り付け動作が完了する。
【００３２】  このようにして、この実施例のアタッチメント２４を用いることにより、上述した実施例の場合と同様な効果を奏することができることになる。また、この実施例においては、机１０の天板１２に形成された穴１６に、雌ねじ部２０を形成（螺刻）することなく、アタッチメント２４を別途製造することにより、同様な効果を得ることができるものであるため、コストの低廉化を図ることが可能となる。
【００３３】  尚、図４及び図５に示す実施例において、アタッチメント２４は、合成樹脂材料から一体的に成形してもよいし、また、アルミニウム等の金属材料から一体的に成形してもよいものである。また、アタッチメント２４のフランジ部２８は、円筒状の本体２６の上部に形成するように説明したが、これに限定されること無く、本体２６の上端に、即ち、本体２６の上端面とフランジ部２８の上面とが互いに面一となる状態で、形成するようにしても良いことは言うまでもない。
【００３４】  また、上述した実施例においては、空のペットボトルＢを吸殻を入れる灰皿として機能させるように説明したが、この考案は、このような適用に限定されること無く、机１０上の細かなゴミを捨てるゴミ入れとしても機能させることが出来ることは言うまでもない。
【００３５】  また、この考案の実施に際して、吸殻や細かなゴミを効率的にペットボトルＢ内に廃棄させることが出来るようにするために、図示していないが、漏斗状の広い開口部を有する器具をペットボトルＢの首部Ｎに挿通して用いる事を何等妨げるものでないことは、言うまでもない。
【産業上の利用可能性】
【００３６】  以上詳述したように、この考案に係わる机は、この考案によれば、吸殻にしろゴミにしろ、机１０の天板１２上に灰皿やゴミ入れを置かなくてもこれらを確実に廃棄することができ、天板１２の上面を広く、邪魔無く使える効果を奏することが出来るものであり、その産業上の利用可能性は極めて高いものである。
【符号の説明】
【００３７】１０    机
１２    天板
１４    脚部
１６    穴
１８    係止構造（一実施例）
２０    雌ねじ部
２２    係止構造（他の実施例）
２４    アタッチメント
２６    円筒状の本体
２８    フランジ部
３０    雌ねじ部
【図１】
0003212332.tif 000003
【図２】
0003212332.tif 000004
【図３】
0003212332.tif 000005
【図４】
0003212332.tif 000006
【図５】
0003212332.tif 000007